(57)【要約】【課題】建物の温水式床暖房を設置した部屋の床板をリフォ−ムする際、古い床板を剥がさないで、その上から新しい床板を貼着する場合、古い床板の上から温水管の位置が見えない。従って、新しい床仕上げ板を貼着する際の釘打ち作業によって、誤って温水管を破損させる恐れがあったが、古い床板を剥がさなくても温水管の位置を特定することが可能で、従って、施工時の床仕上げ板の釘打ち作業によって温水管を傷つけたり破損させたりすることのない床暖房用温水管を提供する。【解決手段】建物の床に設置される床暖房用温水管において、該温水管に強磁性体からなる金属製薄板を装着するようにした。【選択図】        図１
2004183947.tif 000002
【特許請求の範囲】
【請求項１】
建物の床に設置される床暖房用温水管において、該温水管が温水管に強磁性体からなる金属製薄板を装着したものであることを特徴とする床暖房用温水管。
【請求項２】
前記温水管が軟質樹脂製温水パイプであり、強磁性体からなる前記金属製薄板が、軟質樹脂製温水パイプ表面に貼着された金属箔であることを特徴とする請求項１に記載の床暖房用温水管。
【発明の詳細な説明】
【０００１】
【発明の属する技術分野】
本発明は、建物の床に用いられる温水式床暖房用の温水管に関する。
【０００２】
【従来の技術】
住宅等、建物の床に用いられる温水式の床暖房構造は、床下地材の上に温水管を所定の配列で配設し、その上に金属製の均熱板を載置し、最上層に床仕上げ板をこの順番に敷設して完成させた多重積層構造であるか、又は、床下地材、温水パイプ、均熱板、床仕上げ板を、あらかじめ一体的に積層してなる床暖房用温水パネルの２種類がある。また、近年、住む人のライフスタイルの多様化と変化につれて住宅のリフォ−ム需要が活発化する傾向にある。
【０００３】
温水式床暖房を設置した部屋の床仕上げ板を新しいものにリフォ−ムする場合、床仕上げ板、均熱板、温水パイプ等は接着剤で固着されており、床仕上げ板を無理に剥がそうとすると、温水パイプを痛めてしまう危険性がある。従って、通常は古い床仕上げ板を剥がさないで、古い床仕上げ板の上に新しい床仕上げ板を貼着することが一般的である。
【０００４】
しかしながら、古い床仕上げ板の上からでは、その下にある温水式床暖房の温水パイプの配列位置が識別できなかった。そのために、古い床板を剥がさないでそのままにして、新しい床仕上げ板を貼着する場合、施工時の釘打ちによって、下に隠れている温水パイプに傷を付けたり、温水パイプを破損させる危険性があった。
【０００５】
そこで、温水式床暖房用の温水パイプの配管を内部に有する床暖房パネル本体上面において、温水パイプの配管が設けられた位置を示す識別マ−クや、温水パイプの配管が設けられていない位置を示す識別マ−クを床暖房パネル本体上面に設けることによって、配管の上に誤って釘やスクリュ−釘等が打ち込まれ温水パイプが傷ついたり破損したりすることを防止しているものがある。（例えば、特許文献１参照）
【特許文献１】
特開平７−２４３６５５号公報（第２頁、第２−４図）
【０００６】
【発明が解決しようとする課題】
しかしながら、特開平７−２４３６５５号公報に記載の方法では、床暖房パネル本体上面に設けられた識別マ−クを手掛かりにすることで、新築時に床暖房パネル本体上に床仕上げ板を貼着する時は、この識別マ−クが威力を発揮するが、将来、床仕上げ板が古くなってリフォ−ムする際、古い床仕上げ板を剥がさないで、その上から新しい床仕上げ板を貼着する時は役に立たない。古い床仕上げ板を剥がさないと、この識別マ−クを認識することは不可能であるが、古い床板は接着剤とスクリュ−釘等で完全に固着されており、これを剥がすのは大変困難であり、ましてや識別マ−クをほぼ完全に読みとり可能なように剥がすのは至難の業であった。多大な手間と費用をかけて識別マ−クを剥がしても、識別マ−クを正確に判読するのが困難であった。
【０００７】
古い床板をリフォ−ムする時は、剥がす手間を節約して古い床板をそのままにして、その上に新しい床板を貼着するのが一般的である。それで、古い床板をそのままにして、その上から新しい床板を貼着せざるを得ず、その場合、前記識別マ−クは読みとり不可能で、温水式床暖房の温水管の配管位置が特定できず、前記したように、施工時の釘打ち作業によって温水管を傷つけたり破損させたりする危険があった。
【０００８】
本発明の目的は、将来、床板をリフォ−ムする際、古い床板を剥がさなくても床下地材上に設置した床暖房用温水管の位置を特定することが可能で、従って、リフォ−ム施工の際に、床仕上げ板の釘打ち作業によって温水管を傷つけたり破損させたりすることのない床暖房用温水管を提供することにある。
【０００９】
【課題を解決するための手段】
上記目的を達成するために本発明にかかる請求項１に記載の床暖房用温水管は、建物の床に設置される床暖房用温水管において、該温水管が温水管に強磁性体からなる金属製薄板を装着したものであることを特徴とする。
【００１０】
係る構成から、将来床仕上げ板が古くなってリフォ−ムする際に、古い床仕上げ板を剥がさないで、その上から新しい床仕上げ板を貼着する方法でリフォ−ムする場合、金属探知器を用いて、古い床仕上げ板の上から温水管の位置が特定できるので、新しい床仕上げ板を貼着する際の釘打ちなどによって、温水管を傷つけたり破損させたりする恐れがなく安心して施工できる。
【００１１】
また、本発明にかかる請求項２に記載の床暖房用温水管は、請求項１に記載の床暖房用温水管において、前記温水管が軟質樹脂製温水パイプであり、強磁性体からなる前記金属製薄板が、軟質樹脂製温水パイプ表面に貼着された金属箔であることを特徴とする。
【００１２】
係る構成から、リフォ−ムの際、温水パイプを傷つけたり破損させたりする恐れがなく安心して施工できるのみならず、温水パイプを床下地材上に配設する際、温水管が、軟質樹脂製温水パイプであり、強磁性体からなる前記金属製薄板が、軟質樹脂製温水パイプ表面に貼着された金属箔であるので、温水パイプがフレキシブルに曲がり易く、従って配設し易い。しかも、必要に応じて切断も容易にできるので、極めて施工性に優れたものとなる。
【００１３】
【発明の実施の形態】
以下、図面を参考にして本発明の実施の形態の一例を説明する。図１は本発明の床暖房用温水管を用いた床暖房構造の実施形態の一例を示す平面図である。図２は図１のＡ−Ａ線拡大断面図である。図３は本発明の床暖房用温水管の実施形態の一例を示す斜視図であり、（イ）、（ロ）、（ハ）は、それぞれバリエ−ションの一例を示す。勿論これらの形態に限定されるものではない。
【００１４】
図１、２において、引用符号１は本発明の温水管を示し、引用符号２は該温水管に装着された金属製薄板を示す。本発明の床暖房用温水管は、一例として図１、２に示すように、床下地材４の上に適宜位置に小根太３を配置し、該小根太間のスペ−スに本発明の温水管１を適当な配列形状で配列する。該温水管１には金属製薄板２が装着されており、さらに必要に応じて温水管１を配列した空きスペ−スに適宜断熱材（図示せず）を配置しても良い。
【００１５】
図１、２に示す小根太方式の他に、例えば床下地材４として温水管１の直径よりも十分厚めの合板、パ−ティクルボ−ド、ＯＳＢ等の木質板を用意し、その表面に温水管１の配列に沿った形状の温水管用の埋め込み溝（図示せず）を設け、そこに温水管１を埋め込む方式もある。施工場所、施工条件等を考慮して適宜決定すればよい。
【００１６】
前記床下地材４はコンクリ−トスラブなどの他、合板、パ−ティクルボ−ド、ＯＳＢ等の木質材が利用できるが、これらに限定されるものではない。前記小根太３は合板、木材ムク、パ−ティクルボ−ド、ＯＳＢ等の木質材が利用でき、その寸法は厚さが温水管１の直径とほぼ等しいものが望ましい。前記温水管１の配列形状は図１にその一例を示したが、勿論これに限定されるものではない。
【００１７】
前記温水管１を配列した上に図１に示すように、均熱板５を張り付けて、さらにその上に床仕上げ板６を張り付ける。均熱板５は例えば、厚み０．０１〜３．０ｍｍ程度のアルミニウムなどの薄板又は箔が用いられる。また、この時、均熱板５と床仕上げ板６との間に必要に応じて下地材（図示せず）を張り付けてもよい。特に床仕上げ板６の厚みが薄い場合や、床仕上げ板６のサイズが細かく小さすぎる場合などは、前記下地材があった方が施工後の床強度を保持する上でも望ましい。
【００１８】
また、前記温水管１の表面に貼着した金属製薄板２は図１に示すように温水管１の長手方向に沿って貼着されていることが望ましく、一例として図１のように連続した直線状のものがある。勿論これに限定されるものではない。図３に本発明の床暖房用温水管１に金属製薄板２を装着した場合の例を（イ）、（ロ）、（ハ）３例示した。（イ）は温水管１の長手方向に沿って、温水管１の外表面の上部に金属製薄板２を連続して貼着した例であり、（ロ）は温水管１の外表面全面に金属製薄板２を貼着した例である。また、（ハ）は温水管１の外表面の上部で温水管１の長手方向に沿って、不連続に金属製薄板２を貼着した例である。
【００１９】
また、前記金属製薄板２は図２に示すように温水管１の長手方向に沿って、温水管１の上部に貼着してもよいが、必ずしも上部でなく温水管１の側面でも、また底部でもよい。さらに温水管１の断面で見て、温水管１の外表面でもよいし、また、内表面でもよい。また、温水管１の表面の一部分でもよいし前記図３の（ロ）に示したように全面であってもよい。
【００２０】
上から見て温水管１の水平方向の幅寸法に比べて、金属製薄板２の水平方向の幅寸法は、温水管の幅よりも小さくても勿論良いが、金属製薄板２の幅が温水管１の幅よりも、ほぼ同程度か若干でも広目の方が望ましい。その理由は、施工後、床仕上げ板６の上から、見えない温水管１の位置を金属探知器で探知する際に、前記金属製薄板２の幅寸法が温水管１の幅寸法よりも広めであると、金属製探知機で探知し易いばかりでなく、探知精度においても、よりいっそう向上したものとなる。従って、金属製薄板２の幅寸法は温水管１の幅寸法よりも同じか又は若干でも広くしておくことが望ましい。
【００２１】
また、温水管の材質そのものが、鉄、ニッケルなどの強磁性体そのものである場合は、温水管に強磁性体を装着せずとも、前記したような理由によって、リフォ−ムの際、古い床板を剥がさないで、その上から新しい床板を貼着する時、金属探知機によっって下地の温水管の位置を特定でき、従って、釘打ちやステ−プル打ちによって温水管を傷つけたり破損させたりする心配がない。
【００２２】
前記本発明の温水管１はアルミニウム、銅などの金属製パイプ、硬質樹脂製パイプ、軟質樹脂製パイプ等が用いられる。また、強磁性体の金属製薄板２としては、一例を挙げると、例えば、スチ−ル、ニッケル等の適宜厚さの薄板が挙げられるが、これらに限定されるものではない。
【００２３】
また、本発明の温水管１としての好適な態様として、軟質樹脂製パイプであれば、配管時にフレキシブルに曲がり、且つ切断作業も容易に行え、温水機器との現場接続加工も楽に行える。しかも、樹脂製パイプは金属製パイプよりも重量が軽いので、施工に際して温水パイプを運んだり、取り扱ったりするのが容易であり、施工性が格段に向上する。従って、施工費が大幅に軽減されるという利点があり、軟質樹脂製パイプがより好ましい態様である。
【００２４】
また、温水パイプ表面の強磁性体からなる金属製薄板２の好適な態様として、金属製薄板２が金属箔であると、温水パイプが切断し易く、しかもフレキシブルに曲がりやすいので上記と同様の理由で施工性が格段に向上する。
【００２５】
軟質樹脂製パイプとして一例を挙げれば、例えば、軟質のポリエチレン、軟質塩化ビニル、軟質のポリエステル、軟質のナイロン、軟質のビニロン等が上げられる。勿論これらに限定されるものではない。また、温水パイプの直径は３〜１０ｍｍ程度のものが適当であるが、これに限定されるものではない。
【００２６】
また、強磁性体の金属箔としては、一例を挙げると、例えば、スチ−ル箔、ニッケル箔等があげられるがこれらに限定されるものではない。サイズは厚さ０．０１〜０．３ｍｍ程度、幅３〜１０ｍｍ程度で、温水パイプの水平方向の幅寸法とほぼ同程度か又は若干でも広目の幅寸法であることが、よりいっそう望ましい。例えば、金属箔の厚みの２倍分だけ広目とすることが１つの方法である。温水パイプ表面への貼着方法は接着剤を適宜選択して接着法によって簡単に得られる。又は、両面接着テ−プ等を利用してもよいし、また、タッカ−の針、ステ−プル、二股釘等を用いてもよい。
【００２７】
このようにして、床下地材４の上に本発明の温水管１を配設し、その上に均熱板５を張り付けて、さらにその上に床仕上げ板６を張り付けて本発明の温水管を用いた床暖房構造が完成する。施工後長期間が経って、床板が古くなり、新しい床板にリフォ−ムしようとした時、古い床板を剥がすのは大変難しく、手間がかかり従って施工費が大きくかかるのみならず、へたに剥がすと下にある温水管まで破損させてしまう危険があり、古い床板を剥がさないで、その上に新しい床板を張り付けることが良く行われるが、この時、下にある温水管の位置が上から見えないので、施工時の釘打ちで下にある温水管を傷付けたり破損させたりする危険があったが、本発明の強磁性体を設けた温水管の場合は、金属探知器を用意して、金属探知器が温水管に装着した強磁性体からなる金属製薄板を探知するので、温水管の位置が上から肉眼では見えなくても探知することが可能となる。従って、古い床板を剥がさなくても釘打ちで温水管を破損させる失敗を防止することが可能となる。
【００２８】
金属探知器の一例として、アイメックストレ−ズ社製の業務用金属探知機「エフエックススリ−、商品番号ＭＤＦ−３０１１」が挙げられる。「エフエックススリ−」は鉄、スチ−ルのみに反応し、アルミニウムなどの非鉄には反応しないので、温水管表面を覆うアルミ製の均熱板は探知の障害にならない。温水管表面の鉄、スチ−ルなどの強磁性体を磁界センサ−によって探知するものである。施工時に使用される鉄製の釘やステ−プル等にも反応するが、釘やステ−プルは間隔を置いた点状物として認識されるが、温水管に装着された強磁性体からなる金属製薄板は温水管の長手方向に沿って連続した線状又は不連続の点々状に装着されているので、磁界センサ−によって、温水管の配列形状の長手方向に沿った連続した線状又は長手方向に沿った不連続の点々状のものとして識別できる。従って、温水管と釘、ステ−プルとは容易に区別がつくのである。
【００２９】
【発明の効果】
以上のように、本発明に係る床暖房用温水管によれば、温水管に強磁性体からなる金属製薄板を装着しているので、将来、床仕上げ板が古くなってリフォ−ムする際、古い床仕上げ板を剥がさなくても、金属探知器を用いて、温水管の配管位置が特定できる。従って、古い床板の上から新しい床仕上げ板を貼着する際の釘打ちなどによって、温水管を傷つけたり破損させたりする恐れがなく安心して施工できる。また、古い床仕上げ板を剥がさないでリフォ−ムするので施工費も大変安価につく。
【００３０】
また、前記温水管が軟質樹脂製温水パイプであり、強磁性体からなる前記金属製薄板が、軟質樹脂製温水パイプ表面に貼着された金属箔であるので、リフォ−ムに際して、温水パイプを傷つけたり破損させたりする恐れがなく安心して施工でき、古い床板を剥がさないでリフォ−ムできるので、施工費も大変安価であるのみならず、温水パイプを床下地材上に配設する際、温水パイプが、軟質樹脂製温水パイプであり、強磁性体からなる前記金属製薄板が、軟質樹脂製温水パイプ表面に貼着された金属箔であるので、温水パイプがフレキシブルに曲がり易く、従って配設し易い。しかも、必要に応じて切断も容易にでき、温水機器との接続も容易にできる。さらに、重量が軽いので温水パイプの運搬、取り扱いも容易で、施工性に優れたものとなる。従って施工費もさらに安価に済む。
【図面の簡単な説明】
【図１】本発明の温水管を用いた床暖房構造の実施形態の一例を示す平面図。
【図２】図１のＡ−Ａ線拡大断面図。
【図３】本発明の床暖房用温水管の実施形態のバリエ−ションの一例を示す斜視図。
【符号の説明】
１    温水管
２    金属製薄板
３    小根太
４    床下地材
５    均熱板
６    床仕上げ板
【図１】
2004183947.tif 000003
【図２】
2004183947.tif 000004
【図３】
2004183947.tif 000005